(57)【要約】【課題】胸の回りに余分な縫合線が入っておらず、着用感に優れたブラジャーを提供する。【解決手段】胸部を覆う前身頃と背中部を覆う後ろ身頃とが一続きの環状生地によって形成された第１生地１０と、同じく胸部を覆う前身頃と背中部を覆う後ろ身頃とが一続きの環状生地によって形成された第２生地１１とが、上記第１生地１０を外側にして重ねた状態で、互いの上縁部同士を縫合することにより一体化されているとともに、上記第２生地１１の前見頃部表側に縫合された裏地２０によってバストパッド２３装着用の袋部が形成されている。【選択図】図３
2004204392.tif 000002
【特許請求の範囲】
【請求項１】
胸部を覆う前身頃と背中部を覆う後ろ身頃とが一続きの環状生地によって形成された第１生地と、同じく胸部を覆う前身頃と背中部を覆う後ろ身頃とが一続きの環状生地によって形成された第２生地とが、上記第１生地を外側にして重ねた状態で、互いの上縁部同士を縫合することにより一体化されているとともに、上記第１生地の前身頃部裏側もしくは第２生地の前見頃部表側に、バストパッド装着用の袋部が形成され、その袋部の左右に、バストパッドが着脱自在に挿入されるようになっていることを特徴とするブラジャー。
【請求項２】
上記第１生地と第２生地のそれぞれ下部に、幅広伸縮部が環状に設けられている請求項１記載のブラジャー。
【発明の詳細な説明】
【０００１】
【発明の属する技術分野】
本発明は、ブラジャー、特にスポーツ時に着用するのに適したブラジャーに関するものである。
【０００２】
【従来の技術】
従来から、スポーツ用のブラジャーとして、例えば図６に示すような、伸縮性素材からなる成型ブラが用いられている（特許文献１参照）。このものは、左右のカップを吊るすための肩紐や、係合用のフックがなく、身体の激しい動きに追従しやすいという利点を有している。そして、全体を構成する伸縮性素材として、通常、丸編の環状生地が用いられていることから、左右の脇に縫い目がなく、従来の縫い合わせタイプのものに比べて着心地がよいという利点を有している。
【０００３】
【特許文献１】
特開平９−２９６３０８号公報
【０００４】
【発明が解決しようとする課題】
しかしながら、せっかく脇に縫い目がなく、身体に沿いやすくしているにもかかわらず、左右のバストトップを隠すために、前身頃の胸部分に、裏から布を当てて袋部１，２（斜線で示す）を形成し、そのなかにバストパッド３を挿入保持させるようにしているため、この袋部１，２を形成するために設けられた縫合線Ｐ，Ｑが、内側でごろごろして着用感が悪くなるという問題がある。
【０００５】
本発明は、このような事情に鑑みなされたもので、胸の回りに余分な縫合線が入っておらず、着用感に優れたブラジャーの提供をその目的とする。
【０００６】
【課題を解決するための手段】
上記の目的を達成するため、本発明は、胸部を覆う前身頃と背中部を覆う後ろ身頃とが一続きの環状生地によって形成された第１生地と、同じく胸部を覆う前身頃と背中部を覆う後ろ身頃とが一続きの環状生地によって形成された第２生地とが、上記第１生地を外側にして重ねた状態で、互いの上縁部同士を縫合することにより一体化されているとともに、上記第１生地の前身頃部裏側もしくは第２生地の前見頃部表側に、バストパッド装着用の袋部が形成され、その袋部の左右に、バストパッドが着脱自在に挿入されるようになっているブラジャーを第１の要旨とする。
【０００７】
また、本発明は、そのなかでも、特に、上記第１生地と第２生地のそれぞれ下部に、幅広伸縮部が環状に設けられているブラジャーを第２の要旨とする。
【０００８】
【発明の実施の形態】
つぎに、本発明の実施の形態について説明する。
【０００９】
図１（ａ）は、本発明の一実施の形態の正面図を示し、図１（ｂ）は、その背面図を示している。このブラジャーは、胸部を覆う前身頃と背中部を覆う後ろ身頃とが一続きの環状生地によって形成された第１生地１０と、同じく胸部を覆う前身頃と背中部を覆う後ろ身頃とが一続きの環状生地によって形成された第２生地１１とが、上記第１生地１０を外側にして重ねた状態（図１のＡ−Ａ′〕断面図である図２参照）で、互いの上縁部同士を、伸縮性テープ（ＰＩＯＮＥＥＲ  ＥＬＡＳＴＩＣ  ＦＡＢＲＩＣ社製）を当てて縫合することにより一体化されている。
【００１０】
上記伸縮性テープは、全部で４本用いられている。すなわち、まず１本目は、向かって右の体側部に沿う部分１３ａと、前身頃側から肩を経由して背中側に延びる右の肩紐を構成する部分１３ｂと、部分１３ａの後ろ身頃側の延長部であって部分１３ｂ（肩紐）の先端部と背中側で連結する部分１３ｃとを備えた右テープ１３である。２本目は、向かって左の体側部に沿う部分１４ａと、前身頃側から肩を経由して背中側に延びる左の肩紐を構成する部分１４ｂと、部分１４ａの後ろ身頃側の延長部であって部分１４ｂ（肩紐）の先端部と背中側で連結する部分１４ｃとを備えた左テープ１４である。そして、３本目は、前身頃中央の浅い円弧状部に沿う部分１５ａと、上記左右のテープの部分１３ｂ、１４ｂと重ねられて左右の肩紐を構成する部分１５ｂ、１５ｃとを備えた前テープ１５である。さらに、４本目は、後ろ身頃中央の小さな円弧状部に沿う部分１６ａと、その左右の延長部であってテープ１３の部分１３ｃ、テープ１４の部分１４ｃとそれぞれ重ねられて左右の肩紐の先端部と連結する部分１６ｂ、１６ｃとを備えた後ろテープである。
【００１１】
なお、上記テープ１３と１５、１４と１５、１３と１６、１４と１６がそれぞれ重なった状態で前身頃もしくは後ろ見頃から立ち上がって肩紐もしくは背中側の連結部となる部分を、例えば図１において円Ｘで囲われた部分を例にとって説明する。すなわち、この部分は、これを拡大した図４に示すように、テープ１５の部分１５ｃが、テープ１４の部分１４ｂの大部分を、その内側に挟み込んだ状態で重ねられ、一体的に縫合されている。この方法によれば、第１生地１０と第２生地１１を重ねた上縁部を、テープ１４，１５のそれぞれにより、細い幅で縫合一体化すると同時に、上記テープ１３，１５の延長部をそのまま使いながら、肩紐の幅をやや広くすることができるため、肩紐が肌に当たってごろごろしないという利点を有する。
【００１２】
また、上記テープ１３〜１６からなる左右の肩紐の、背中側に垂れる先端部と、後ろ身頃側から立ち上がるテープ１３、１４、１６の部分との連結部を、例えば図１において円Ｙで囲われた部分を例にとって説明する。すなわち、この部分は、これを拡大した図５に示すように、テープ１３の部分１３ｂとテープ１５の部分１５ｂとで構成された肩紐の先端部が内側に配置され、テープ１３の部分１３ｃとテープ１６の部分１６ｂとで構成された立ち上がり部の先端部が、その端部を所定幅だけ内側に折り返した状態で、上記肩紐先端部の外側面に重ねられた状態で配置され、その状態で、重なり部の上端部と下端部が縫合されている。その縫合線をＳ，Ｔで示す。したがって、この部分が「わ」に形成され、圧縮力が高くなるため、肩紐が肌にぴったりと密着するという効果を奏する。そして、従来のブラジャーのように、連結金具等を用いてないため、フィット感に優れ、着心地がよいという利点を有する。
【００１３】
一方、第１生地１０（図１に戻る）は、丸編によって形成されており、その前身頃中央の山形領域（図中、縦線で示す部分Ｒ）がリブ編で構成され、生地が上下方向に多少縮められている。それ以外の部分は平編である。このため、左右の胸に当たる部分がやや膨らんで立体感が与えられるようなっている。また、第１生地１０の下部には、さらに、幅３０ｍｍの伸縮部１７が環状に設けられており、その境界部にギャザーが寄せられている。なお、上記伸縮部１７は、第１生地１０の平編部から下に、さらに幅６０ｍｍのニットイン編部をつくり、このニットイン編部を内側に折り返して二重にして端縁を内側に縫合することにより形成されている。この伸縮部１７は、他の部分より圧縮力が高いため、体にぴったりと密着するようになっている。
【００１４】
また、第２生地１１は、第１生地１０の外形を鎖線で示して省略した図３に示すように、第１生地１０と同様の形状で、丸編によって形成されており、その前身頃中央の山形領域がリブ編で構成され、生地が上下方向に多少縮められている（この部分は後述する裏地２０に隠れてみえない）。そして、第２生地１１の下部にも、第１生地１０と同様、ニットイン編による伸縮部１８が環状に設けられているが、その幅（折り返して二重の状態での幅）が２０ｍｍと、第１生地１０の伸縮部１７よりも狭くなっている。したがって、第２生地１１の縦寸法は、その分だけ第１生地１０の縦寸法よりも短くなっており、第２生地１１の下縁部は、第１生地１０の下縁部からはみ出すことなく内側に納まるようになっている。
【００１５】
そして、上記第２生地１１の前身頃部表側（第１生地１０と重なる面）には、、前身頃部の略全域を覆う薄手の裏地２０（図３において斜線で示す）が当てられており、その上縁部が、第１生地１０、第２生地１１の上縁部とともに、テープ１５で一体的に縫合されている。また、その下縁部は、第２生地１１の下縁部に設けられた伸縮部１８の折り返し端縁を縫合する縫合線を利用して、第２生地１１に縫合されている。
【００１６】
ただし、上記裏地２０の左右の縁部２１，２２は、第２生地１１に何ら縫合されていないため、第２生地１１と裏地２０とが重なった部分は、上記縁部２１，２２を開口とする袋状になっている。そこで、この部分に、左右から、カップ状に立体成型されたバストパッド２３を挿入することにより、カップ付のブラジャーとすることができる。なお、挿入されたバストパッド２３は、上下の縫合線により動きが規制されるため、左右の胸の適正位置に保持されるようになっている。
【００１７】
なお、上記ブラジャーは、肌への当たりが柔らかく、肌にやさしいブラジャーとなるよう、肌に当たる面が、全て１００％天然素材の大豆プロテインファイバー（指定外繊維）で構成された編地になっている（外面は通常のナイロンであり、伸縮性をもたせるために編地全体にウレタンが所定割合で配合されている）。前記伸縮性テープ１３〜１６も、全て上記大豆プロテインファイバー（伸縮性をもたせるために所定割合でウレタンを配合）で構成されている。
【００１８】
上記ブラジャーによれば、左右の脇に縫合線がなく、胸部にも、バストパッド２３保持用の袋部を形成するための縫合線がない。したがって、このブラジャーは、バストパッド２３が着脱自在に挿入可能であるにもかかわらず、胸の回りにそのための縫合線が入っておらず、非常に優れた着用感が得られる。そして、このブラジャーは、全体が伸縮性編地で構成されており、バストパッド２３が乳房に押し付けられることがないため、身体を激しく動かすスポーツ時等に着用するのに最適である。そして、肌に当たる面が全て１００％天然素材の大豆プロテインファイバーで構成されているため、肌への当たりが柔らかく、肌にやさしいものとなっている。
【００１９】
なお、本発明のブラジャーは、第１生地１０および第２生地１１として、丸編等によって形成された環状生地を用いることが前提であるが、編み方や素材、縁部処理の方法等は上記の例に限定されるものではなく、任意に設定することができる。
【００２０】
また、上記の例では、第１生地１０と第２生地１１の上縁部縫合一体化を、縁部処理用の伸縮性テープを当てた状態で縫合することにより行い、その伸縮性テープを利用して、肩紐を作るようにしているが、第１生地１０と第２生地１１は、互いのその上縁部を縫合一体化したものであれば、それ以外の構成はどのようになっていても差し支えない。例えば、第１生地１０と第２生地１１の上縁部を、伸縮性テープ等によって、一続きの環状に縫合し、別のテープからなる肩紐を、後から取り付けるようにしてもよい。ただし、上記の例のように構成すると、肩紐が一続きで形成されるため、体へのフィット感がより良好なものとなり、好適である。
【００２１】
さらに、第１生地１０と第２生地１１のそれぞれ下部に設けられる伸縮部１７，１８は、必ずしも上記のように一続きのニットイン編で作製する必要はなく、例えば、幅広の伸縮テープを後から縫合により取り付けるようにしても差し支えない。また、伸縮部１７，１８に相当する部分に、ウレタン弾性糸等を編み込んで、その部分の伸縮性を高めることにより、伸縮部１７，１８としてもよい。いずれにせよ、第１生地１０と第２生地１１のそれぞれ下部に一定の伸縮性を付与し、ブラジャーが上方にずり上がるのを防止した構造になっていることが好ましい。そして、上記伸縮部１７，１８の上下方向の幅寸法は、上記の例に限らず、適宜に設定することができるが、例えば、３０〜４０ｍｍの幅に設定することが好適である。ただし、上記の例のように、第１生地１０の伸縮部１７の幅より第２生地１１の伸縮部１８の幅をやや短く設定して、第１生地１０の下端縁から第２生地１１の下端縁がはみ出さないようにすることが、着用感および見栄えの点で好適である。
【００２２】
そして、上記の例では、第２生地１１の表側に裏地２０を取り付けて、バストパッド２３挿入用の袋部を形成しているが、上記裏地２０は、第１生地１０の裏側に取り付けるようにしても差し支えない。いずれの場合も、裏地２０およびバストパッド２３が、第１生地１０と第２生地１１の間に挟まれて存在するため、肌に直接当たらず、良好な着用感が得られる。
【００２３】
なお、上記裏地２０も、用いる素材、編み方の種類等は、適宜に設定されるのであり、特に限定されるものではない。
【００２４】
【発明の効果】
以上のように、本発明のブラジャーは、左右の脇に縫合線がなく、胸部の回りにも、全く縫合線がない。したがって、このブラジャーは、胸部の左右内側に設けられた袋部内にバストパッドが着脱自在に挿入可能であるにもかかわらず、余分な縫合線が入っておらず、非常に優れた着用感を備えている。そして、バストパッドが押し付けられることがなく、全体の自由度が高いため、激しく身体を動かすスポーツ時等に着用するのに最適である。
【図面の簡単な説明】
【図１】（ａ）は本発明の一実施例を示す正面図、（ｂ）はその背面図である。
【図２】上記図１（ａ）のＡ−Ａ′断面図である。
【図３】上記実施例において、第１生地を省略して第２生地の構造を示す説明図である。
【図４】上記実施例における肩紐の立ち上がり部を示す説明図である。
【図５】上記肩紐の背中側における連結部を示す説明図である。
【図６】従来のスポーツ用ブラジャーの一例を示す正面図である。
【符号の説明】
１０  第１生地
１１  第２生地
２０  裏地
２３  バストパッド
【図１】
2004204392.tif 000003
【図２】
2004204392.tif 000004
【図３】
2004204392.tif 000005
【図４】
2004204392.tif 000006
【図５】
2004204392.tif 000007
【図６】
2004204392.tif 000008